【手続補正書】
【提出日】平成18年1月20日(2006.1.20)
【手続補正１】
【補正対象書類名】明細書
【補正対象項目名】発明の名称
【補正方法】変更
【補正の内容】
【発明の名称】消費電力削減方法およびそれを用いた電子機器とテレビジョン装置
【手続補正２】
【補正対象書類名】明細書
【補正対象項目名】特許請求の範囲
【補正方法】変更
【補正の内容】
【特許請求の範囲】
【請求項１】  動作モードの切替操作に基づき、第１の制御手段で動作モードを動作状態あるいは待機状態に切り替えるものとし、
前記動作モードが動作状態とされたときに第２の制御手段で動作制御を行うと共に、前記動作モードが待機状態とされたときに前記第２の制御手段での動作制御を終了することで待機状態の消費電力を削減する
ことを特徴とする消費電力削減方法。
【請求項２】  動作モードを動作状態あるいは待機状態に切り替えるために操作される切替操作手段と、
前記切替操作手段の操作に応じて、前記動作モードを動作状態あるいは待機状態に切り替える第１の制御手段と、
前記動作モードが動作状態とされたときに動作制御を行うと共に、前記動作モードが待機状態とされたときに動作制御を終了する第２の制御手段を有する
ことを特徴とする電子機器。
【請求項３】  前記第１の制御手段の動作は、通常モードと前記通常モードよりも消費電力の少ない低消費電力モードで切替可能であり、
前記第１の制御手段では、前記第２の制御手段で動作の制御が行われていない時に前記通常モードとすると共に前記第２の制御手段で動作の制御が行われているときに前記低消費電力モードとし、前記通常モードであるときに前記切替操作手段の操作に応じて前記動作モードを待機状態あるいは動作状態に切り替えられる
ことを特徴とする請求項２記載の電子機器。
【請求項４】  前記第２の制御手段の動作は、通常モードと前記通常モードよりも消費電力の少ない低消費電力モードで切替可能であり、
前記第２の制御手段では、前記動作モードが動作状態とされたときに前記通常モードとすると共に、前記動作モードが動作状態でないときに前記低消費電力モードとし、前記通常モードであるときに前記動作の制御を行う
ことを特徴とする請求項３記載の電子機器。
【請求項５】  電源操作手段を備え、
前記電源操作手段が操作されたとき、前記第１の制御手段と前記第２の制御手段がそれぞれ前記低消費電力モードでないときには前記低消費電力モードに切り替えるものとし、前記第１の制御手段と前記第２の制御手段がそれぞれ前記低消費電力モードであるときは、前記第１の制御手段を前記通常モードに切り替える
ことを特徴とする請求項４記載の電子機器。
【請求項６】  前記第２の制御手段では、前記通常モードと前記低消費電力モードで動作する時計機能を有する
ことを特徴とする請求項４記載の電子機器。
【請求項７】  動作モードを動作状態あるいは待機状態に切り替えるために操作される切替操作手段と、
前記切替操作手段の操作に応じて、前記動作モードを動作状態あるいは待機状態に切り替えるモード切替制御手段と、
前記動作モードが動作状態とされたときに画像表示のためのテレビジョンブロックの動作制御を行うと共に、前記動作モードが待機状態とされたときに当該動作制御を終了するメイン制御手段を有し、
前記モード切替制御手段の動作は、通常モードと前記通常モードよりも消費電力の少ない低消費電力モードで切替可能であり、
前記モード切替制御手段では、前記メイン制御手段で動作の制御が行われていない時に前記通常モードとすると共に前記メイン制御手段で動作の制御が行われているときに前記低消費電力モードとし、
前記モード切替制御手段が前記通常モードであるときに前記切替操作手段の操作に応じて前記動作モードを待機状態あるいは動作状態に切り替えられる
ことを特徴とするテレビジョン装置。
【請求項８】  前記メイン制御手段の動作は、通常モードと前記通常モードよりも消費電力の少ない低消費電力モードで切替可能であり、
前記メイン制御手段では、前記動作モードが動作状態とされたときに前記通常モードとすると共に、前記動作モードが動作状態でないときに前記低消費電力モードとし、前記通常モードであるときに前記動作制御を行う
ことを特徴とする請求項７記載のテレビジョン装置。
【請求項９】  前記メイン制御手段では、前記通常モードと前記低消費電力モードで動作する時計機能を有する
ことを特徴とする請求項８記載のテレビジョン装置。
【手続補正３】
【補正対象書類名】明細書
【補正対象項目名】０００１
【補正方法】変更
【補正の内容】
【０００１】
【発明の属する技術分野】
この発明は消費電力削減方法およびそれを用いた電子機器とテレビジョン装置に関する。詳しくは、電子機器の動作モードの切替操作に基づいて、第１の制御手段で動作モードを動作状態あるいは待機状態に切り替えるものとし、動作モードが動作状態とされたときに第２の制御手段で動作制御を行うと共に、待機状態とされたときに第２の制御手段での動作制御を終了することにより、待機状態での消費電力を削減するものである。
【手続補正４】
【補正対象書類名】明細書
【補正対象項目名】０００５
【補正方法】変更
【補正の内容】
【０００５】
そこで、この発明では、待機状態等であるときの消費電力を少なくできる消費電力削減方法およびそれを用いた電子機器とテレビジョン装置を提供するものである。
【手続補正５】
【補正対象書類名】明細書
【補正対象項目名】０００６
【補正方法】変更
【補正の内容】
【０００６】
【課題を解決するための手段】
この発明に係る消費電力削減方法は、動作モードの切替操作に基づき、第１の制御手段で動作モードを動作状態あるいは待機状態に切り替えるものとし、動作モードが動作状態とされたときに第２の制御手段で動作制御を行うと共に、動作モードが待機状態とされたときに第２の制御手段での動作制御を終了することで待機状態の消費電力を削減するものである。
【手続補正６】
【補正対象書類名】明細書
【補正対象項目名】０００７
【補正方法】変更
【補正の内容】
【０００７】
また電子機器は、動作モードを動作状態あるいは待機状態に切り替えるために操作される切替操作手段と、切替操作手段の操作に応じて、動作モードを動作状態あるいは待機状態に切り替える第１の制御手段と、動作モードが動作状態とされたときに動作制御を行うと共に、動作モードが待機状態とされたときに動作制御を終了する第２の制御手段を有するものである。
さらに、電源操作手段を備え、電源操作手段が操作されたとき、第１の制御手段と第２の制御手段がそれぞれ低消費電力モードでないときには低消費電力モードに切り替えるものとし、第１の制御手段と第２の制御手段がそれぞれ低消費電力モードであるときには、第１の制御手段を通常モードに切り替えるものである。
【手続補正７】
【補正対象書類名】明細書
【補正対象項目名】０００８
【補正方法】変更
【補正の内容】
【０００８】
また、テレビジョン装置は、動作モードを動作状態あるいは待機状態に切り替えるために操作される切替操作手段と、切替操作手段の操作に応じて、動作モードを動作状態あるいは待機状態に切り替えるモード切替制御手段と、動作モードが動作状態とされたときに画像表示のためのテレビジョンブロックの動作制御を行うと共に、動作モードが待機状態とされたときに当該動作制御を終了するメイン制御手段を有し、モード切替制御手段の動作は、通常モードと通常モードよりも消費電力の少ない低消費電力モードで切替可能であり、モード切替制御手段では、メイン制御手段で動作の制御が行われていない時に通常モードとすると共にメイン制御手段で動作の制御が行われているときに低消費電力モードとし、モード切替制御手段が通常モードであるときに切替操作手段の操作に応じて動作モードを待機状態あるいは動作状態に切り替えられるものである。